(57)【要約】【課題】写真プリント費用を広告等情報主が少なくとも一部負担することができるとともに、プリント注文者またはプリント被提供者の個人情報と画像属性情報を組み合わせる事により広告等情報を対象者を絞った適切な広告等情報付画像を提供することである。【解決手段】  複数の広告等情報からなる広告群から、撮影者を含むプリント注文者乃至は鑑賞者を含むプリント被提供者の個人情報乃至は画像の内容に関わる分類可能な画像属性情報と、広告等情報を提供する広告等情報主の要望情報とに基づいて前記広告等情報群の内から広告等情報を選択し、前記選択された広告を前記画像に付加し、また広告等情報主の予定付加数を越えないように制限し、他の広告等情報主のことを考慮して広告等情報を画像に付加する。 【選択図】  図１
2008009399.tif 000002
【特許請求の範囲】
【請求項１】
撮影者を含むプリント注文者によって注文された写真を含む画像に広告等情報を付加する広告等情報付加装置で、撮影者を含むプリント注文者乃至は観察者を含むプリント被提供者の個人情報乃至は前記画像を分類した画像分類情報を取得する手段と、前記広告等情報を提供する広告等情報主の要望情報を取得する手段とに基づいて複数の広告等情報からなる広告等情報群の内から適した広告等情報を選択する手段と、前記選択された広告等情報を前記画像に付加する手段とを備えた広告等情報付加装置。
【請求項２】
前記付加される広告等情報は前記広告等情報主が前記画像に付加すると予定した広告等情報付加予定数を越した時は、前記画像に付加する広告等情報の数を制限する手段を備えた請求項１に記載の広告等情報付加装置。
【請求項３】
前記広告等情報付加予定数は広告等情報主が付加すると予定した総広告等情報数または単位期間内の付加する広告等情報数である請求項２に記載の広告等情報付加装置。
【請求項４】
複数の広告等情報主による総広告等情報数または単位期間当たりの広告等情報の残数をランク付けするランク付け手段と、前記ランク付け手段によってランク付けされた広告等情報の残数が多い広告等情報を優先的に付加する請求項３に記載の広告等情報付加装置。
【請求項５】
撮影者を含むプリント注文者によって注文された写真を含む画像に広告等情報を付加する広告等情報付加方法で、撮影者を含むプリント注文者乃至は観察者を含むプリント被提供者の個人情報乃至は前記画像を分類した画像分類情報を取得するステップと、前記広告等情報を提供する広告等情報主の要望情報を取得するステップとに基づいて複数の広告等情報からなる広告等情報群の内から適した広告等情報を選択するステップと、前記選択された広告等情報を前記画像に付加するステップとを備えた広告等情報付加方法。
【請求項６】
前記付加される広告等情報は前記広告等情報主が前記画像に付加すると予定した広告等情報付加予定数を越した時は、前記画像に付加する広告等情報の数を制限するステップを備えた請求項５に記載の広告等情報付加方法。
【請求項７】
前記広告等情報付加予定数は広告等情報主が付加すると予定した総広告等情報数または単位期間内の付加する広告等情報数である請求項６に記載の広告等情報付加方法。
【請求項８】
複数の広告等情報主による総広告等情報数または単位期間当たりの広告等情報の残数をランク付けするランク付け手段と、前記ランク付け手段によってランク付けされた広告等情報の残数が多い広告等情報を優先的に付加する請求項７に記載の広告等情報付加方法。
【請求項９】
撮影者を含むプリント注文者によって注文された写真を含む画像に広告等情報を付加された広告等情報付画像で、撮影者を含むプリント注文者乃至は観察者を含むプリント被提供者の個人情報乃至は前記画像を分類した画像分類情報と、前記広告等情報を提供する広告等情報主の要望情報に基づいて複数の広告等情報からなる広告等情報群の内から適した広告等情報を選択し、前記選択された広告等情報を前記画像に付加された広告等情報画像。
【請求項１０】
前記付加される広告等情報は前記広告等情報主が前記画像に付加すると予定した広告等情報付加予定数を越した時は、前記画像に付加する広告等情報の数を制限する請求項９に記載の広告等情報付画像。
【請求項１１】
前記広告等情報付加予定数は広告等情報主が付加すると予定した総広告等情報数または単位期間内の付加する広告等情報数である請求項１０に記載の広告等情報付画像。
【請求項１２】
複数の広告等情報主による総広告等情報数または単位期間当たりの広告等情報の残数をランク付けするランク付け手段と、前記ランク付け手段によってランク付けされた広告等情報の残数が多い広告等情報を優先的に付加する請求項１０に記載の広告等情報付画像。
【発明の詳細な説明】
【技術分野】
【０００１】
本発明は、写真を含む画像に広告等情報を付加する装置及び撮影者を含むプリント注文者乃至は写真を観察する観察者を含むプリント被提供者と広告等情報主の双方に利する広告等情報付加方法、広告等情報付き画像に関し、特に広告等情報主からの広告等情報を大量に出回る写真を含む画像に付加し、更に、写真のプリント及び画像の処理に関する費用を広告等情報主が少なくとも一部を負担するようにした広告等情報付加装置、広告等情報付加方法並びに広告等情報付き画像に関する。
【背景技術】
【０００２】
従来、撮影者が撮影した画像を解析して画像情報を得、その画像情報に適切な広告等情報を選択して写真に付加する方法について知られている（例えば特許文献１）。
また、撮影者がプリント依頼時にアンケート用紙に記載した撮影者情報に基づいて複数の広告等情報を記憶するデータベースから適合する広告を選択し、写真プリントに付加し、広告主が写真プリントに関する費用を少なくとも一部負担する広告付写真プリントの製造方法は知られている（例えば特許文献２）。
【０００３】
【特許文献１】特開２００２−１５２２０
【特許文献２】特開２００４−１７７７２７
【発明の開示】
【発明が解決しようとする課題】
【０００４】
上述の特許文献１では、撮影者が撮影した画像を解析して画像情報を得るものである。この画像情報だけでは、正確な被写体の情報が得られるものでないし、技術的に大変困難な技術で、大掛かりな装置が必要となる。
特許文献２では、撮影者が写真を撮ってプリントを依頼する場合に依頼時にアンケート用紙に撮影者が記載した情報、例えば、撮影者の性別、年齢、家族構成、職種、地域、趣味に基づいて付加した広告である。その広告の内容に適した画像でないこともあり、また、写真は撮影者自身のための写真ではなく、例えばその写っている人に提供する場合もあるし、例えばかわいいネコの写真などネコ愛好家である人に送る場合もある。そのときに提供される側に立った広告でないと好ましい広告と言えずに広告をした割には広告主を喜ばすことなく、広告の効果が出ないので広告主を失望させる場合もあった。
【０００５】
本発明は、このような従来の構成が有していた問題を解決しようとするものであり、写真を提供される撮影者を含むプリント注文者乃至は観察者を含むプリント被提供者に適した広告等情報を選択し、広告等情報主を失望させない広告等情報付写真プリント装置を提供するものである。
【課題を解決するための手段】
【０００６】
本発明の請求項１は、撮影者を含むプリント注文者によって注文された写真を含む画像に広告等情報を付加する広告等情報付加装置で、撮影者を含むプリント注文者乃至は観察者を含むプリント被提供者の個人情報乃至は前記画像を分類した画像分類情報を取得する手段と、前記広告等情報を提供する広告等情報主の要望情報を取得する手段とに基づいて複数の広告等情報からなる広告等情報群の内から適した広告等情報等を選択する手段と、前記選択された広告等情報を前記画像に付加する手段とを備えた広告等情報等情報付加装置を提供することにある。
【０００７】
本発明の請求項２は、前記付加される広告等情報は前記広告等情報主が前記画像に付加すると予定した広告等情報付加予定数を越した時は、前記画像に付加する広告等情報の数を制限する手段を備えた請求項１に記載の広告等情報付加装置を提供することにある。
【０００８】
本発明の請求項３は、前記広告等情報付加予定数は広告等情報主が付加すると予定した総広告等情報数または単位期間内の付加する広告等情報数である請求項２に記載の広告等情報等情報付加装置を提供することにある。
【０００９】
本発明の請求項４は、複数の広告等情報主による総広告等情報数または単位期間当たりの広告等情報の残数をランク付けするランク付け手段と、前記ランク付け手段によってランク付けされた広告等情報の残数が多い広告等情報を優先的に付加する請求項３に記載の広告等情報付加装置を提供することにある。
【００１０】
本発明の請求項５は、撮影者を含むプリント注文者によって注文された写真を含む画像に広告等情報を付加する広告等情報付加方法で、撮影者を含むプリント注文者乃至は観察者を含むプリント被提供者の個人情報乃至は前記画像を分類した画像分類情報を取得するステップと、前記広告等情報を提供する広告等情報主の要望情報を取得するステップとに基づいて複数の広告等情報からなる広告等情報群の内から適した広告等情報を選択するステップと、前記選択された広告等情報を前記画像に付加するステップとを備えた広告等情報付加方法を提供することにある。
【００１１】
本発明の請求項６は、前記付加される広告等情報は前記広告等情報主が前記画像に付加すると予定した広告等情報付加予定数を越した時は、前記画像に付加する広告等情報の数を制限するステップを備えた請求項５に記載の広告等情報付加方法を提供することにある。
【００１２】
本発明の請求項７は、前記広告等情報付加予定数は広告等情報主が付加すると予定した総広告等情報数または単位期間内の付加する広告等情報数である請求項６に記載の広告等情報付加方法を提供することにある。
【００１３】
本発明の請求項８は、複数の広告等情報主による総広告等情報数または単位期間当たりの広告等情報の残数をランク付けするランク付け手段と、前記ランク付け手段によってランク付けされた広告等情報の残数が多い広告等情報を優先的に付加する請求項７に記載の広告等情報付加方法を提供することにある。
【００１４】
本発明の請求項９は、撮影者を含むプリント注文者によって注文された写真を含む画像に広告等情報を付加された広告等情報付画像で、撮影者を含むプリント注文者乃至は観察者を含むプリント被提供者の個人情報乃至は前記画像を分類した画像分類情報と、前記広告等情報を提供する広告等情報主の要望情報に基づいて複数の広告等情報からなる広告等情報群の内から適した広告等情報を選択し、前記選択された広告等情報を前記画像に付加された広告等情報画像を提供することにある。
【００１５】
本発明の請求項１０は、前記付加される広告等情報は前記広告等情報主が前記画像に付加すると予定した広告等情報付加予定数を越した時は、前記画像に付加する広告等情報の数を制限する請求項９に記載の広告等情報付画像を提供することにある。
【００１６】
本発明の請求項１１は、前記広告等情報付加予定数は広告等情報主が付加すると予定した総広告等情報数または単位期間内の付加する広告等情報数である請求項１０に記載の広告等情報付加方法を提供することにある。
【００１７】
本発明の請求項１２は、複数の広告等情報主による総広告等情報数または単位期間当たりの広告等情報の残数をランク付けするランク付け手段と、前記ランク付け手段によってランク付けされた広告等情報の残数が多い広告等情報を優先的に付加する請求項１０に記載の広告等情報付加方法を提供することにある。
【発明の効果】
【００１８】
上述したように本発明により撮影前または撮影後に写真そのものを分類する撮影前後に設定される情報と、撮影者を含むプリント注文者乃至は観察者を含むプリント被提供者の個人情報に基づいて広告等情報を選択するので広告等情報主にとっても適切な広告等情報が写真に付加され、広告等情報を付加することによりプリント代を補助するメリットを撮影者を含むプリント注文者並びに観察者を含むプリント被提供者は享受することができた。
【発明を実施するための最良の形態】
【００１９】
図１は、本発明の広告等情報付加装置の概略構成を示す。１は広告等情報コンテンツマッチングシステム装置、２は撮影者を含むプリント注文者乃至は観察者を含むプリント被提供者が画像を入力し転送させるパーソナルコンピューターや携帯電話機等であるクライアント端末を示し、不図示のインターネット等のネットワークを介して広告等情報コンテンツマッチングシステム装置１とクライアント端末２は接続されている。広告等情報コンテンツマッチングシステム装置１は、３で示す画像サーバ、４で示す顧客管理サーバ、５で示す広告等情報コンテンツサーバ、６で示すマッチングシステムで構成されている。７は画像サーバ３に保管された画像と広告等情報コンテンツサーバ５に保管された広告等情報とを合成する合成システムを示し、８は合成システム７で合成された広告等情報付き画像をプリントするプリントシステムを示す。
【００２０】
画像サーバ３には画像を保管した９で示す画像データベースと、画像の内容を分類した画像分類情報を含む画像分類情報データベースを示す１０を備える。また、顧客管理サーバ４には１１で示す撮影者を含むプリント注文者の個人属性を備えた撮影者を含むプリント注文者属性データベースと、１２で示す撮影者を含むプリント注文者が撮影した画像を観察する観察者を含むプリント被提供者の個人属性を備えた観察者を含むプリント被提供者属性データベースと、更に１３で示す観察者を含むプリント被提供者が団体である場合に観察者を含むプリント被提供者グループの観察者を含むプリント被提供者団体属性データベースを備える。また広告等情報コンテンツサーバ５には、１４で示す広告等情報主の要望事項を記憶した広告等情報データベースと１５で示す１つ又は複数の広告等情報データを格納する広告等情報コンテンツデータベースとを備え、広告等情報コンテンツデータベース１５は広告等情報データベース１４のターゲットによって分類されているが、広告等情報コンテンツは１つ又は複数の広告等情報ターゲットデータに対応している。広告等情報マッチングサービスを管理するマッチングシステム６を中心として、撮影者を含むプリント注文者乃至は観察者を含むプリント被提供者がネットワークを介して画像を格納する画像サーバ３内の画像データベース９及び、撮影者を含むプリント注文者乃至は観察者を含むプリント被提供者の個人情報を登録する顧客管理サーバ４には撮影者を含むプリント注文者属性データベース１１と、観察者を含むプリント被提供者属性データベース１２と、観察者を含むプリント被提供者がグループである場合の観察者を含むプリント被提供者グループ属性データベース１３に接続されており、広告等情報コンテンツサーバ５からの要求に応じてマッチングすることができ、マッチングされたデータはネットワークによって合成システム７で画像と広告等情報コンテンツが合成されたデータが、プリントシステム８へと伝達することができる。なお図１では、合成システム７の後にプリントシステム８が接続されているが、マッチング後に合成するのではなくプリント後に広告等情報コンテンツを付加してもよい。例えば、インクジェットプリンターで画像をプリント後に、広告等情報コンテンツをプリントされた画像に再プリントしてもよい。
【００２１】
広告等情報コンテンツマッチングシステム１に接続するクライアント端末２は、パーソナルコンピューターやカメラ付き携帯電話等のインターネットに接続できる端末を指し、今後送信機能付きデジタルカメラや、デジタルＴＶ等のネットワーク接続が可能な端末を全て対象としている。
【００２２】
画像サーバ３とは、画像データベース９及び画像分類情報データベース１０で構成され、撮影者を含むプリント注文者乃至は観察者を含むプリント被提供者並びにクライアント端末への入力を代行するユーザーのクライアント端末２から不図示のインターネット等のネットワークを介して受け取った画像データに対して画像データ処理を行い画像データベース９に格納される。または、画像データベース内に格納後に画像処理をしてもよい。
【００２３】
画像分類情報データベース１０とは、撮影者を含むプリント注文者乃至は観察者を含むプリント被提供者が撮影前または撮影後に写真そのものを分類し設定する情報であり、写真の内容を特定するための１つ以上のキーワードを持つ言語及び数字で構成されるタグ情報を格納している。例えば画像データに対して「海」「サーフィン」「晴れ」「きもちいい」等の１つ以上のタグ情報として表され格納することができる。なお、前記画像データは、ＷＷＷ上に設けられたサイト上での観察も考えられ、撮影者を含むプリント注文者乃至は観察者を含むプリント被提供者だけではなく画像データを観察した１人以上の第３者が設定することができ、画像内容をいろいろな内容で捉えることができる。
【００２４】
顧客管理サーバ４は、撮影者を含むプリント注文者属性データベース１１、観察者を含むプリント被提供者属性データベース１２、観察者を含むプリント被提供者グループの観察者を含むプリント被提供者団体属性１３から構成されている。撮影者を含むプリント注文者乃至は観察者を含むプリント被提供者並びにクライアント端末への入力を代行するユーザーのクライアント端末２から画像データをインターネット等のネットワークを介して受け取る工程において前記撮影者を含むプリント注文者乃至は観察者を含むプリント被提供者の氏名・住所・年齢・性別・国籍・電話番号・メールアドレス・最終学歴・家族構成・配偶者情報・住居形態・趣味嗜好・勤務先情報やその他アンケート項目を入力し保管する処理を撮影者を含むプリント注文者属性データベース１１並びに観察者を含むプリント被提供者属性データベース１２が行う。また、観察者を含むプリント被提供者が一人以上の場合は、団体などの属性情報を入力させ保管を観察者を含むプリント被提供者グループの観察者を含むプリント被提供者団体属性データベース１３が行う。
【００２５】
マッチングシステム６を図２のフローチャートに基づいて説明する。前述したように画像サーバ３と顧客管理サーバ４と広告等情報コンテンツサーバ５のデータをマッチングして適した広告等情報を選択するものである、本説明は、広告等情報主側が広告等情報要望情報を設定する場合である。まず撮影者を含むプリント注文者からクライアント端末２を介して画像、例えば東京の高校野球予選の写真をアップロードし、Ｓ１に示すように画像データベース９に画像を格納して後、Ｓ２に示すように画像分類情報データベース１０に「野球」「高校」と撮影者を含むプリント注文者が入力する。顧客管理サーバ４には、Ｓ３で示すように、この写真が贈呈用と撮影者を含むプリント注文者個人用とで分別し、贈呈用の場合は、例えばこの写真を福岡に住む孫に送るので、Ｓ４で示すように観察者を含むプリント被提供者属性データベース１３に「福岡市」のデータを入力させる。Ｓ５で示すように広告等情報主が「福岡のプロ野球球団○○」であった場合、広告等情報データベース１４には広告等情報主が設定した要望情報が格納され、観察者を含むプリント被提供者属性情報が「福岡市」、画像分類情報を「野球」を入力すると、Ｓ６に示すように観察者を含むプリント被提供者属性データベース１２から対象となる観察者を含むプリント被提供者を選択し、Ｓ７で広告等情報コンテンツデータベース１５から「福岡のプロ野球球団〇〇」の広告等情報が選択される。
また、Ｓ３で撮影者を含むプリント注文者個人用の場合は、Ｓ８に撮影者を含むプリント注文者属性データベース１１に「６０歳」のデータが入力される。広告等情報主が「○○温泉会社」であった場合、Ｓ９には、広告等情報データベース１４に撮影者を含むプリント注文者属性情報が「東京」、画像分類情報が「野球」を入力すると、Ｓ１０に示すように撮影者を含むプリント注文者属性データベース１１から対象者を選択し、Ｓ１１で広告等情報コンテンツデータベース１５から「○○温泉会社」の広告等情報が選ばれる。
【００２６】
また同様にマッチングシステム６を図３のフローチャートに基づいて説明する。前述したように画像サーバ３と管理サーバ４と広告等情報コンテンツサーバ５のデータをマッチングして適した広告等情報を選択するものである、本説明は、撮影者を含むプリント注文者が広告等情報要望情報を設定する場合である。まず撮影者を含むプリント注文者からクライアント端末２を介して画像、例えば東京の高校野球予選の写真をアップロードし、Ｔ１に示すように画像データベース９に画像を格納して後、Ｔ２に示すように画像分類情報データベース１０に「野球」「高校」と撮影者を含むプリント注文者が入力する。顧客管理サーバ４には、Ｔ３で示すように、この写真が贈呈用と撮影者を含むプリント注文者個人用とで分別し、贈呈用の場合は、例えばこの写真を福岡に住む孫に送るので、Ｔ４で示すように観察者を含むプリント被提供者属性データベース１２に「福岡市」のデータを入力させる。Ｔ５に示すように広告等情報コンテンツサーバ３の広告等情報データベース１４には「福岡市」「野球」を入力すると、Ｔ６に示すように広告等情報コンテンツデータベース１５から「福岡のプロ野球球団〇〇」の広告等情報が選択される。
またＴ３で撮影者を含むプリント注文者個人用の場合は、Ｔ７で撮影者を含むプリント注文者属性データベース１１に「６０歳」のデータが入力される。Ｔ８で広告等情報データベース１４に「野球」「６０歳」を入力すると、Ｔ９に示すように広告等情報コンテンツデータベース１５には「××温泉」の広告等情報が選択される。また、この写真が撮影者を含むプリント注文者個人用でもあり、孫への贈呈用でもある場合は、撮影者を含むプリント注文者個人用には場合は「××温泉」の広告等情報が、孫への贈呈用である場合「福岡のプロ野球球団〇〇」の広告等情報がこの写真に付加される。
【００２７】
本発明により、複数の広告等情報を含む広告等情報群を記憶した広告等情報付加装置で、撮影者を含むプリント注文者によって撮影された撮影者を含むプリント注文者乃至は観察者を含むプリント被提供者の個人情報と、撮影前または撮影後に写真そのものを分類し設定する情報と、広告等情報を提供する広告等情報主の要望情報とに基づいて前記広告等情報群の内から広告等情報を選択し、前記選択された広告等情報を前記画像に付加する広告等情報付加装置を提供することで、例えば、撮影者を含むプリント注文者乃至は観察者を含むプリント被提供者が若年者で、タグ情報を「海」や「サーフィン」と設定し、撮影者を含むプリント注文者乃至は観察者を含むプリント被提供者の属性情報から検出された住所地域が九州地域に相当する場合には広告等情報主がサーフィンのサーフショップの広告等情報で九州の支店を示す広告等情報をこの写真に付加することで、広告等情報主にとっても九州の顧客であり、好都合な広告等情報となり、プリント料金を広告等情報主が補助しても広告等情報主にとって利することになり、撮影者を含むプリント注文者乃至は観察者を含むプリント被提供者にとっても安価にプリントができることになる。
【００２８】
同様に、撮影者を含むプリント注文者が主婦で、観察者を含むプリント被提供者が前記主婦の子供であり、撮影者を含むプリント注文者乃至は観察者を含むプリント被提供者の属性情報から住所地域が渋谷地域であった場合で、写真の画像内容を表すタグ情報が「子供」の場合には、広告等情報主は子供向けの玩具メーカーで、渋谷近辺の店舗を示す広告等情報を写真に付加することで、広告等情報主にとって新規顧客にアプローチすることができ好都合な広告等情報となり、また、撮影者を含むプリント注文者乃至は観察者を含むプリント被提供者にとってもプリント料金を広告等情報主が補助しても広告等情報主にとって利することになり、安価にプリントができることになる。
【００２９】
また撮影者を含むプリント注文者が大学生で、観察者を含むプリント被提供者グループが美食サークルの団体であり撮影者を含むプリント注文者乃至は観察者を含むプリント被提供者の属性情報から住所地域が品川であり、タグ情報から検出された画像分類情報が○○大学であった場合は、品川地区の○○大学キャンパスの近辺の飲食店舗を示す広告等情報をこの写真に付加することで、広告等情報主にとって新規顧客獲得につなげることができ、また大学生にとっても安価なプリント代で思い出を残す事ができる。
【００３０】
また撮影者を含むプリント注文者が父親で、観察者を含むプリント被提供者が息子の場合、各個人属性データベースから父親は田舎の農家で、息子は都会に住んでおり、父親が設定したタグ情報から検出された画像分類情報は「田植え」であり田植えの風景の写真であった場合、広告等情報主は田舎の農家であり地元のお米の宣伝をすることができる。また、父親にとっては都会に住む息子に対して田舎の美味しい食事を薦めることができ、田舎の写真と供に地元の食材を息子に広告等情報することができ、息子は地元の食材を取り寄せることができる。
【００３１】
撮影者を含むプリント注文者が母親で、観察者を含むプリント被提供者が娘の場合、撮影者を含むプリント注文者属性データベース及び観察者を含むプリント被提供者属性データベースから２人は親子と解析でき、且つ、母親は東京に住んでいて、娘は福岡に住んでいる情報が分かる。属性データベースから娘の使用通信会社を抽出し○○通信会社であった場合は、広告等情報主は○○通信会社の競合である××通信会社であり、家族割引サービスの入会を勧めることができ新規顧客獲得を行うことができる、母親にとっても安価なプリント代でプレゼントすることができ、娘にとっては○○通信会社の家族割引プランを知ることにより通信料を安くすることができる。
【００３２】
次に複数の広告等情報主が存在する場合について図４のフローチャートを基に説明する。
Ｍ１で、図１のマッチングシステム６で、広告等情報データベース１４から広告等情報でまだ画像に付加されていない各広告等情報の残枚数を取得し、Ｍ２で各広告等情報の残枚数の多い方からランク付けし、Ｍ３でランク付けした上位の広告等情報から要望情報を抽出し、Ｍ４で示すように撮影者を含むプリント注文者乃至は観察者を含むプリント被提供者の個人情報乃至は画像分類情報と広告等情報の要望情報をマッチングし、Ｍ５でプリント注文枚数に応じた広告等情報が付加されたかどうかを判別し、すべて付加されたならば広告等情報付加を終了する。
【００３３】
本発明の明細書及び特許請求の範囲で述べた「広告等情報」は本発明の図面では「広告」を指している。また本発明の明細書及び特許請求の範囲で述べた「撮影者を含むプリント注文者」は本発明の図面では「撮影者」と、また「観察者を含むプリント被提供者」は本発明の図面では「観察者」を指している。
【図面の簡単な説明】
【００３４】
【図１】本発明に係る実施形態を示すブロック図である。
【図２】本発明に係る実施形態を示すフローチャートである
【図３】本発明に係る実施形態を示すフローチャートである。
【図４】本発明に係る実施形態を示すフローチャートである。
【符号の説明】
【００３５】
１ …広告等情報コンテンツマッチングシステム装置
２ … クライアント端末
３ … 画像サーバ
４ … 顧客管理サーバ
５ … 広告等情報コンテンツサーバ
６ … マッチングシステム
７ … 合成システム
８ … プリントシステム
９ … 画像データベース
１０ … 画像分類情報データベース
１１ … 撮影者を含むプリント注文者属性データベース
１２ … 観察者を含むプリント被提供者属性データベース
１３ … 観察者を含むプリント被提供者グループデータベース
１４ … 広告等情報データベース
１５ … 広告等情報コンテンツデータベース
【図１】
2008009399.tif 000003
【図２】
2008009399.tif 000004
【図３】
2008009399.tif 000005
【図４】
2008009399.tif 000006